(57)【特許請求の範囲】
【請求項１】
プラグの栓刃が挿抜される差込口を有する本体カバーと本体ボディとが結合されて構成される器体内に前記栓刃が挟持される刃受部を含む接続構造体を収容するとともに、前記接続構造体に接続されることで、外部電源の電力を前記刃受部に供給する外部電線を挿入する電線挿入口を有するコンセント本体と、
前記コンセント本体に対して前記差込口側の面を覆う状態に取着されるとともに前記差込口と対応する箇所が開口する化粧カバーと、
前記化粧カバーに対して前記差込口に対する接近・離間する回動が可能な状態に取り付けられた扉体と、
前記扉体を前記差込口に接近する閉方向へ付勢する付勢手段と、を備え、
前記扉体は、閉状態から前記付勢手段の付勢力に抗して開方向へ回動されることにより前記栓刃の前記差込口への差込みが許容されるように構成されるとともに、プラグの栓刃が前記差込口に差し込まれると、前記プラグのうち前記栓刃が突出するプラグボディと係合して該プラグを抜け止め状態に係止する係止部を有し、
前記付勢手段は、前記係止部が前記プラグを抜け止め状態に係止している状態において該係止部が前記プラグを係止する方向へ前記扉体を付勢し、
前記扉体には凹所が設けられ、該凹所に前記係止部が設けられていることを特徴とするコンセントブロック。
【請求項２】
請求項１に記載のコンセントブロックにおいて、
前記化粧カバーには、前記差込口と対応する箇所に前記プラグボディの形状に対応した凹部が設けられ、該凹部の底面側が開口することで前記プラグボディの栓刃側端部が挿通されるプラグ挿通孔が形成されており、
前記プラグボディを前記凹部内に挿入するとともに前記栓刃を前記差込口に挿入することで前記プラグが接続される構成であることを特徴とするコンセントブロック。
【請求項３】
請求項１又は２に記載のコンセントブロックにおいて、
前記化粧カバーと前記扉体とのうち少なくとも一方には、前記扉体が閉じた状態において前記化粧カバーとの間で防水構造を形成する防水付与部が設けられていることを特徴とするコンセントブロック。
【請求項４】
請求項１乃至３のいずれか一項に記載のコンセントブロックにおいて、
前記扉体は、閉じた状態において前記差込口の全てを覆うように形成されていることを特徴とするコンセントブロック。
【請求項５】
請求項１乃至４のいずれか一項に記載のコンセントブロックにおいて、
前記コンセント本体は、露出コンセントのコンセント本体をベースとしており、前記扉体が回動可能に設けられた前記化粧カバーが前記コンセント本体に取り付けられた構成であることを特徴とするコンセントブロック。
【発明の詳細な説明】
【技術分野】
【０００１】
本発明は、プラグの栓刃が挿入される差込口を有するとともにプラグに電力を供給するコンセント本体を備えるコンセントブロックに関する。
【背景技術】
【０００２】
一般に、コンセントブロックとしては、プラグ（差込プラグ）の栓刃をコンセントブロックに設けられた刃受で挟持することにより、プラグと電気的に導通するとともに同プラグに電力を供給する構造が知られている。このような構造では、外部からの力に対してプラグがコンセントブロックから抜け易いなどの問題があった。
【０００３】
そこで、上記のプラグがコンセントブロックから抜けることに起因する問題を抑制するためにプラグの抜止構造が提案されている。例えば、特許文献１には、プラグをコンセントブロックに接続した後に所定角度回転させることにより、プラグの栓刃に設けられた透孔にコンセントの刃受に設けられた突起が入り込み、プラグをコンセントブロックから抜け止めする構造が提案されている。
【先行技術文献】
【特許文献】
【０００４】
【特許文献１】特開２００１−１８５２８９号公報
【発明の概要】
【発明が解決しようとする課題】
【０００５】
しかし、プラグを回転させる余分な操作が必要で操作性が悪いうえ、回転させないと抜止機能を発揮することができないという問題があった。
また、特許文献１のようなコンセントブロックでは、一般にプラグの挿抜する回数が少ない場合を想定しているため、例えばプラグを挿抜する回数が百回程度を保証するものが多い。具体的には、栓刃を挿入することにより、刃受が弾性変形されるとともに、栓刃の透孔に刃受の突起が入り込む。この刃受の弾性変形を繰り返すと、刃受のばね性が低下することにより、栓刃の透孔に刃受の突起が入らなくなってしまう。その結果、プラグの挿抜を繰り返すうちにプラグをコンセントブロックから抜け止めする機能（以下、「抜止機能」）を果たさなくなってしまう場合がある。したがって、上述のようなプラグを挿抜する回数の多い用途には不向きな構造となっており、その点において改善の余地があった。
【０００６】
なお、特許文献１のようなコンセントブロックの場合、刃受構造に抜止機能を付与できる特殊な構造をとる必要があった。しかし、露出コンセントブロックなどの既存のコンセントブロックのコンセント本体などの部品を流用することにより、部品の共通化を図りつつ、抜止機能を備えたコンセントブロックを製造可能な構造であると、製造コスト上のメリットが大きい。このため、抜止機能を付加する場合でも、既存のコンセントブロックとコンセント本体などの部品の共通化を図り易いコンセント構造が望まれる。
【０００７】
本発明は、上記問題点に鑑みてなされたものであり、その目的は、プラグの抜止機能を発揮させるために必要なプラグの差込操作が比較的簡単で済むうえ、プラグを挿抜する回数の増加に対して抜止機能の低下を抑制できるコンセントブロックを提供することにある。
【課題を解決するための手段】
【０００８】
以下、上記の目的を達成するための手段及び作用効果について記載する。
請求項１に記載の本発明は、プラグの栓刃が挿抜される差込口を有する本体カバーと本体ボディとが結合されて構成される器体内に前記栓刃が挟持される刃受部を含む接続構造体を収容するとともに、前記接続構造体に接続されることで、外部電源の電力を前記刃受部に供給する外部電線を挿入する電線挿入口を有するコンセント本体と、前記コンセント本体に対して前記差込口側の面を覆う状態に取着されるとともに前記差込口と対応する箇所が開口する化粧カバーと、前記化粧カバーに対して前記差込口に対する接近・離間する
回動が可能な状態に取り付けられた扉体と、前記扉体を前記差込口に接近する閉方向へ付勢する付勢手段と、を備え、前記扉体は、閉状態から前記付勢手段の付勢力に抗して開方向へ回動されることにより前記栓刃の前記差込口への差込みが許容されるように構成されるとともに、プラグの栓刃が前記差込口に差し込まれると、前記プラグのうち前記栓刃が突出するプラグボディと係合して該プラグを抜け止め状態に係止する係止部を有し、前記付勢手段は、前記係止部が前記プラグを抜け止め状態に係止している状態において該係止部が前記プラグを係止する方向へ前記扉体を付勢し、前記扉体には凹所が設けられ、該凹所に前記係止部が設けられていることを要旨とする。
【０００９】
この発明によれば、プラグをコンセントブロックに差し込むときには、付勢手段の付勢力に抗して扉体を開方向に回動させることにより、栓刃の差込口への差込みが許容され、プラグの挿入経路が確保される。そして、その挿入経路に沿ってプラグがコンセントブロックに差し込まれると、付勢手段の付勢力で閉方向へ付勢されていた扉体の係止部がプラグボディに係合し、プラグを抜け止め状態に係止する。このため、プラグをコンセントブロックに差し込んだ後、抜止機能を発揮させるために必要な回転操作などの面倒な操作が不要になる。また、化粧カバーは扉体を取付けた扉付き化粧カバーとして構成されるので、例えば露出コンセントブロックなど従前のコンセントブロックのコンセント本体を流用して部品の共通化を図り、化粧カバーを、扉付き化粧カバーに変更するだけで、本発明の抜止機能付きのコンセントブロックを比較的簡単に製造するという製造方法の採用も可能になる。また、抜止機能は、係止部とプラグボディとの係合によるので、プラグを挿抜する回数の割に抜止機能が低下しにくい。よって、プラグの抜止機能を発揮させるために必要なプラグの差込操作が比較的簡単で済むうえ、プラグを挿抜する回数の増加に対して抜止機能の低下を抑制することができる。
【００１０】
請求項２に記載の本発明は、請求項１に記載のコンセントブロックにおいて、前記化粧カバーには、前記差込口と対応する箇所に前記プラグボディの形状に対応した凹部が設けられ、該凹部の底面側が開口することで前記プラグボディの栓刃側端部が挿通されるプラグ挿通孔が形成されており、前記プラグボディを前記凹部内に挿入するとともに前記栓刃を前記差込口に挿入することで前記プラグが接続される構成であることを要旨とする。
【００１１】
この発明によれば、プラグの栓刃を差込口に差し込むため、プラグボディをプラグ挿通孔に挿入したときに、プラグボディの栓刃側端部は、プラグボディの形状に対応した凹部に挿通されるので、プラグボディの外周面と凹部の内周面との間に指が入るほどの隙間は形成されない。よって、プラグボディとプラグ挿通孔との隙間に指が入ることを防止でき、差込口に差し込まれる際の栓刃に指が触れる事態を回避できる。
【００１２】
請求項３に記載の本発明は、請求項１又は２に記載のコンセントブロックにおいて、前記化粧カバーと前記扉体とのうち少なくとも一方には、前記扉体が閉じた状態において前記化粧カバーとの間で防水構造を形成する防水付与部が設けられていることを要旨とする。
【００１３】
この発明によれば、化粧カバーと扉体とのうち少なくとも一方に設けられた防水付与部により、扉体が閉じた状態において、扉体と本体カバーとの間で防水構造が形成される。よって、扉体が閉状態のときは、差込口への水の浸入を防止する防水効果が得られる。
【００１４】
請求項４に記載の本発明は、請求項１乃至３のいずれか一項に記載のコンセントブロックにおいて、前記扉体は、閉じた状態において前記差込口の全てを覆うように形成されていることを要旨とする。
【００１５】
この発明によれば、扉体が閉じた状態ではコンセントブロックの差込口の全てが扉体により覆われる。このため、差込口に対する防水効果を期待できる。
請求項５に記載の本発明は、請求項１乃至４のいずれか一項に記載のコンセントブロックにおいて、前記コンセント本体は、露出コンセントブロックのコンセント本体をベースとしており、前記扉体が回動可能に設けられた前記化粧カバーが前記コンセント本体に取り付けられた構成であることを要旨とする。
【００１６】
この発明によれば、露出コンセントブロックのコンセント本体を部品の共通化のため流用し、このコンセント本体に、露出コンセントブロック用の化粧カバーに替えて、扉体が設けられた扉付きの化粧カバーを取付けることで、プラグ抜け止め機能付きの本発明のコンセントブロックを比較的簡単に製造できる。
【発明の効果】
【００１７】
本発明によれば、プラグの抜止機能を発揮させるために必要なプラグの差込操作が比較的簡単で済むうえ、プラグを挿抜する回数の増加に対して抜止機能の低下を抑制できるコンセントブロックを提供することができる。
【図面の簡単な説明】
【００１８】
【図１】第１の実施形態の充電スタンドを示し、（ａ），（ｂ）は斜視図、（ｃ）は要部正面図。
【図２】コンセントブロックの分解斜視図。
【図３】（ａ）本体カバーを外したコンセント本体の模式正面図、（ｂ）本体カバーの模式正面図。
【図４】ロックカバーを示し、（ａ）は斜視図、（ｂ）は模式側断面図。
【図５】コンセントブロックの模式側面図。
【図６】プラグ差込過程におけるコンセントブロックの模式底面図。
【図７】プラグを示し、（ａ）は斜視図、（ｂ）は底面図。
【図８】（ａ）〜（ｄ）プラグをコンセントブロックに差し込む作用を示す一部破断側面図。
【図９】（ａ）〜（ｃ）プラグをコンセントブロックに差し込む作用を示す一部破断側面図。
【図１０】変形例のコンセントブロック示す斜視図。
【図１１】同じくプラグがロックされた状態のコンセントブロックの一部破断した模式側面図。
【図１２】同じくロックカバーが閉状態にあるコンセントブロックの一部破断した模式側面図。
【図１３】他の変形例のロックカバーを示す斜視図。
【発明を実施するための形態】
【００１９】
（第１の実施形態）
本発明を、充電スタンドに設けられるコンセントブロックとして具体化した第１の実施形態を、図１〜図９を用いて説明する。
【００２０】
図１は、コンセントブロックが取り付けられた一例である充電スタンド（充電装置）を示す。図１（ａ），（ｂ）に示す充電スタンド１１は、電気自動車に搭載されたバッテリーに充電するためのものであり、例えば屋外に立設されている。この充電スタンド１１は、縦長の直方体形状を有するスタンド本体１２と、スタンド本体１２の所定高さの位置に設けられた横開閉式の扉１３とを有している。略四角形状の扉１３は、図１（ａ）に示す閉状態と図１（ｂ）に示す開状態との間で開閉可能に設けられている。図１（ｂ）に示すように、スタンド本体１２には扉１３と対応する部位に凹所１５が形成されている。そして、図１（ｂ），（ｃ）に示すように、凹所１５の奥面（施工面）の略中央部には、コンセントブロックＡが取付けられている。図１（ｃ）に示すように、本実施形態のコンセントブロックＡは、プラグＢの栓刃９１（図７参照）が挿入される差込口５２がコンセント本体２０の前面に設けられ、コンセント本体２０の前面のうち差込口５２を含む矩形領域の部分が、閉状態にある扉体８０により覆われている。扉体８０は、図１（ｃ）の正面視で矩形状に形成されるとともにその下端部を回動中心とする開閉式に構成されている。使用者は、図１（ｃ）に示す閉状態にある扉体８０を開状態に操作して差込口５２が露出する状態とした後、プラグＢの栓刃９１（図７参照））を差込口５２に挿入するプラグＢの差込操作を行うことにより、充電スタンド１１から電気自動車のバッテリーへの充電が可能になるようになっている。そして、本実施形態のコンセントブロックＡでは、プラグＢの直線状の差込操作をするだけで、その差込まれたプラグＢが扉体８０との係合によりコンセントブロックＡに対して抜止め状態にロックされるようになっている。
【００２１】
図２は、コンセントブロックＡの分解斜視図を示す。以降では、コンセントブロックＡの施工面の表側及び裏側を規定する方向を「前後方向Ｘ」とし、鉛直方向に沿う方向を「上下方向Ｚ」とし、前後方向及び上下方向の両方に直交する方向を「左右方向Ｙ」とする。また、前後方向Ｘにおいて、壁面の表側に向かう方向を「前方」とし、壁面の裏側に向かう方向を「後方」とする。
【００２２】
図２に示すように、コンセントブロックＡは、差込口５２が設けられたコンセント本体２０と、このコンセント本体２０の前面側に取り付けられる扉付き化粧カバー３０とを備えている。そして、扉付き化粧カバー３０は、後方側が開口する矩形箱状の化粧カバー６０と、扉開閉機構７０とにより構成されている。扉開閉機構７０は、差込口５２に対する開閉が可能な矩形状の扉体８０と、シャフト７１と、付勢手段の一例であるばね７５とにより構成されている。そして、扉開閉機構７０により、化粧カバー６０に対して扉体８０が開閉可能な状態に取り付けられる。なお、本実施形態のコンセント本体２０は、露出コンセントブロック（図示せず）のコンセント本体を流用することにより、露出コンセントブロックと部品の共通化が図られており、露出コンセントブロックの化粧カバーを、扉付き化粧カバー３０に置き換えることで構成されている。また、この扉体８０は、差込口５２を開閉する機能の他、差込口５２に栓刃９１が挿入されたプラグＢのボディ９０と係合して、差込状態のプラグＢをコンセントブロックＡに対して抜止め状態にロックする係止機能（抜止機能）も有している。
【００２３】
コンセント本体２０は、器体の一例として略直方体形状のハウジング２１を備える。ハウジング２１は、合成樹脂材料を射出成形して形成された合成樹脂製であって、前後方向Ｘにおける平面視で矩形状に形成されるとともに前方側が開口する扁平な四角箱状の本体ボディ４０と、この本体ボディ４０の開口側と相対する後方側が開口する同じく扁平な四角箱状の本体カバー５０とを、組立ねじ（図示せず）の螺着により結合することで構成されている。コンセント本体２０は、その前面四隅に挿通されて裏面側へ貫通した４本の取付ねじ２２が施工面の孔に螺着されることにより施工面に固定されるようになっている。
【００２４】
コンセント本体２０内には、外部電線が挿入されて接続されるとともに、プラグＢが接続されることによりプラグＢに外部電線からの電力を供給する接続構造体としてのコンセント構造体２３（図３（ｂ）参照）が収容されている。コンセント本体２０の上端部には、外部電線を挿入するための電線挿入口２４が設けられている。
【００２５】
図２に示すように、本体カバー５０の前面５０ａ（ハウジング２１の前面）には、前面５０ａから前後方向Ｘに所定厚さだけ突出する矩形板状のボス部５１が本体カバー５０と一体形成されている。このボス部５１の前面には３個の差込口５２が設けられており、接地極付のプラグＢ（図７参照）が接続できるようになっている。
【００２６】
化粧カバー６０には、前後方向Ｘにおける後方側が開口する四角箱状に形成されており、コンセント本体２０の本体ボディ４０と前後方向Ｘにおける平面視の形状及びサイズがほぼ同じに形成されている。化粧カバー６０は、コンセント本体２０の前面側を覆うようにコンセント本体２０に嵌合又は係止により結合されるようになっている。この化粧カバー６０の前面６０ａにおいてボス部５１と対応する箇所には、この化粧カバー６０を前後方向Ｘに貫通するとともに前後方向Ｘの平面視において円形状に形成されたプラグ挿通孔６１が設けられている。このプラグ挿通孔６１は、プラグＢのボディ（以下、「プラグボディ９０」とも称す）の栓刃側の一部が挿通されるようになる。化粧カバー６０がコンセント本体２０に嵌合した状態においてプラグ挿通孔６１の内側の範囲内に３個の差込口５２が露出するようになっている。
【００２７】
化粧カバー６０の前面６０ａにおいてプラグ挿通孔６１の下側の位置には、半円筒状のシャフト保持部６２が、左右方向Ｙに沿って延びるように化粧カバー６０と一体に形成されている。このシャフト保持部６２は、扉開閉機構７０の一部を構成している。シャフト保持部６２が所定長さの幅で左右方向Ｙに延出する状態で一体に突出形成されている。
【００２８】
扉開閉機構７０には、開閉動作を行う扉体８０と、この扉体８０に取り付けられるシャフト７１と、シャフト７１を挿通状態に保持するシャフト保持部６２とにより構成されている。また、シャフト７１には、扉体８０を差込口５２に向かい付勢する付勢手段であるつるまきばね（以下、「ばね７５」）が取り付けられている。
【００２９】
扉開閉機構７０は、シャフト保持部６２に設けられたシャフト挿通孔６２ａにシャフト７１を挿入し、シャフト７１のシャフト挿通孔６２ａよりも左右方向Ｙの両側にばね７５を取り付けた状態において、ばね７５よりも左右方向Ｙの両側のシャフト７１の部位に扉体８０の基部を取り付ける。これにより、シャフト７１を回転軸として、扉体８０は回転するようになる。すなわち、扉体８０の開閉動作はシャフト７１を中心とした回転によって行われる。
【００３０】
図３（ａ）は、本体カバーを外してコンセント構造体２３が露出した本体ボディの正面図を示す。図３（ａ）に示すように、コンセント構造体２３（接続構造体）は、本体ボディ４０の内面上に組付けられている。よって、本体ボディ４０及び本体カバー５０とが結合された内部空間にコンセント構造体２３は収容される。コンセント構造体２３は、３個の端子板を有している。
【００３１】
本体ボディ４０は前面側が開口する矩形箱状に形成されている。本体ボディ４０の四隅近傍に組付ねじを挿通する挿通孔４０ａが形成されており、この挿通孔４０ａに挿通した組付ねじ（図示せず）を挿通孔４０ａに対応して本体カバー５０の背面側に形成された受け孔（図示せず）に螺合することで、本体ボディ４０と本体カバー５０を結合する構造となっている。
【００３２】
本体ボディ４０の四隅には、コンセント本体２０を取付面１５ａ（施工面）に取り付けるための取付ねじ２２を挿通する長孔状のねじ挿通孔４０ｂが形成されている。本体ボディ４０の略中央部には、一対の電源用の刃受部４１（詳しくは電圧側極の刃受部と接地側極の刃受部）、１個の接地極の刃受部４２とが各々分離された状態で収納されている。
【００３３】
また、この本体ボディ４０の上端部には本体カバー５０と組み合わせた状態で電線挿入口２４となる凹部４０ｃが形成されている。本体ボディ４０の長手方向の一端側（図３（ａ）では上端側）において凹部４０ｃの下側（電線挿入口２４の奥側）となる箇所には、それぞれ電導電材料で板状に形成された電圧側極の端子部４４Ａ、接地側極の端子部４４Ｂ、接地極の端子部４４Ｃが、左右方向Ｙに１列に並んだ状態で各々収納されている。
【００３４】
ここで、一対の電源用の刃受部４１は同一形状に形成されている。電源用の刃受部４１は、互いに対向配置されて平板状の栓刃を狭持する一対の第１挟持片４１ａ（刃受ばね）と、これら第１挟持片４１ａの片側の側縁に対向し、一対の第１挟持片４１ａとの間で平板状の栓刃を狭持する第２挟持片４１ｂ（刃受ばね）とが弾性を有する導電性金属材料によって一体に形成されている。一対の刃受部４１を構成する各第２挟持片４１ｂの各基部は、電源用の端子部４４Ａ，４４Ｂと各々電気的に接続されている。なお、本例では、端子部４４Ａが電圧側極、端子部４４Ｂが接地側極となっている。
【００３５】
一方、接地極の刃受部４２は、電源用の刃受部４１の第１挟持片４１ａよりも広い間隔で互いに対向配置される一対の第１挟持片４２ａ（刃受ばね）と、これら第１挟持片４２ａの片側の側縁に対向する第２挟持片４２ｂ（刃受ばね）とが弾性を有する導電性金属材料によって一体に形成されている。第２挟持片４２ｂの基部は接地極の端子部４４Ｃと電気的に接続される。そして、３つの第１挟持片４１ａ，４２ａによりプラグＢの３つの栓刃９１を狭持するようになっている。なお、電線挿入口２４を通した外部電線（図示せず）の３つの芯線が端子部４４Ａ〜４４Ｃにそれぞれ電気的に接続されるようになっている。この接続により、外部電源の電力が外部電線を通じて刃受部４１に供給されるようになる。
【００３６】
図３（ｂ）に示すように、本体カバー５０は後面側（背面側）が開口するとともに、前後方向Ｘの平面視で本体ボディ４０よりも全体的に一回り小さなサイズの矩形箱状に形成されている。本体カバー５０の前面における中央やや上側には平面視略矩形のボス部５１が突設され、このボス部５１に３つの差込口５２が本体カバー５０の厚み方向（前後方向Ｘ）に貫通するように設けられている。
【００３７】
図３（ｂ）に示すように、差込口５２は、上下方向Ｚの平面視において左右方向Ｙが長手の長方形となる２つの電源用挿入孔５２ａと、略丸形（直線状の一辺を有する略半円形）となる接地用挿入孔５２ｂとが設けられている。電源用挿入孔５２ａは、左右方向Ｙに配列され、接地用挿入孔５２ｂは電源用挿入孔５２ａの左右方向Ｙの間且つ電源用挿入孔５２ａよりも下方に設けられている。本体ボディ４０と本体カバー５０を結合した状態において各挿入孔５２ａ，５２ｂがハウジング２１内に収納された各刃受部４１，４２に対向するようになっている。
【００３８】
このように構成されたコンセント本体２０の前面は扉付き化粧カバー３０によって被われる。化粧カバー６０の略上方位置には、ボス部５１に設けられた３つの差込口５２を露出する露出窓を形成するプラグ挿通孔６１が設けられている。また、化粧カバー６０の前面には、プラグ挿通孔６１の下側に設けられたシャフト保持部６２が挿入状態に保持するシャフト７１を中心として扉体８０が回動可能に設けられている。
【００３９】
図４（ａ）は扉体の斜視図、同図（ｂ）は扉体の側断面図を示す。図４（ａ）に示すように、扉体８０には、四角平板状に形成される基部８０ａが設けられている。基部８０ａには、その中央部に表面から下方に向かい凹む凹所８１が設けられ、その後方の端部にシャフト７１（図２参照）を挿通する一対のシャフト挿通部８２が設けられ、その左右方向Ｙの中央且つ前方の端部に下方に向かい湾曲状に凹む湾曲凹部８３が設けられている。
【００４０】
凹所８１には、下方の部位を構成する底面８４と、この底面８４と基部８０ａとを互いに接続する接続部８５とが設けられている。接続部８５のうち底面８４と基部８０ａとを前後方向Ｘに接続するものは、下方に向かうにつれて後方に傾斜する前方傾斜面８５ａが形成されている。また、接続部８５のうち底面８４と基部８０ａとを左右方向Ｙに接続するものは、下方に向かうにつれて互いに近づくように傾斜する一対の側方傾斜面８５ｂが形成されている。
【００４１】
凹所８１の前後方向Ｘの中央部には、底面８４から上方に突出するとともに左右方向Ｙに対向する接続部８５を互いに連結する仕切壁８６が設けられている。この仕切壁８６の後面８６ａ（図４（ｂ）参照）は、左右方向Ｙ及び上下方向Ｚに沿った平面形状にて形成されている。また、仕切壁８６により、凹所８１は、仕切壁８６より前方側の領域である規制部８７と、仕切壁８６より後方側の領域である固定部８８とに区分けされる。
【００４２】
規制部８７に対応する底面８４には、前後方向Ｘ及び左右方向Ｙに沿った平面形状の平面８４ａが設けられ、固定部８８に対応する底面８４には、平面８４ａと同様の平面８４ｂ（図４（ｂ）参照）と後方に向かうに連れて上方に傾斜する傾斜面８４ｃが設けられている。傾斜面８４ｃの傾斜角度は、傾斜面８５ａ，８５ｂの傾斜角度よりも小さくなるように形成されている。
【００４３】
仕切壁８６の前面８６ｂ側には、仕切壁８６の頂面８６ｃ及び平面８４ａを互いに接続するとともに前面８６ｂから前方に向かうに連れて下方に傾斜する傾斜部８９が設けられている。この傾斜部８９は、左右方向Ｙに離間して２つ設けられている。なお、本実施形態では、仕切壁８６により係止部が構成されている。
【００４４】
図５は、コンセントブロックＡの模式側面図を示す。図５に示すように、コンセントブロックＡは、扉体８０が化粧カバー６０の前面６０ａと当接した状態を「閉状態」（実線の扉体８０）としている。このような閉状態の扉体８０の位置が閉位置となる。
【００４５】
シャフト７１は挿通孔２５付近に設けられ、扉体８０は閉状態から前方に向かい回転可能となる。そして、図５中の二点鎖線にて示すように、扉体８０が前面６０ａに対して離間した状態を「開状態」としている。このような開状態の扉体８０の位置が開位置となる。以降では、扉体８０が閉状態または開状態となるように動作する方向を「開閉動作方向Ｗ」とする。この開閉動作方向Ｗは、ばね７５が扉体８０を付勢する方向に対応している。そして、開閉動作方向Ｗにおいて、閉状態に向かう方向を「閉方向」とし、開状態に向かう方向を「開方向」とする。また、閉状態において、ばね７５（図２参照）の付勢力により、扉体８０は前面６０ａを常に押圧した状態にて維持されるようになる。
【００４６】
図５に示すように、化粧カバー６０は、プラグ挿通孔６１を通じて３つの差込口５２を前方に露出させた状態で、本体カバー５０を前方及び左右方向Ｙから覆っている。そして、扉体８０は、その閉状態において、差込口５２が露出するプラグ挿通孔６１の全体を前方から覆うようになる。また、凹所８１は、差込口５２と対応した箇所に位置するようになる。また、扉体８０は前面６０ａに対してプラグ挿通孔６１の周囲全周に亘り当接するようになる。
【００４７】
図６に示すように、扉体８０は化粧カバー６０と左右方向Ｙの幅が略同サイズに形成されており、図５に実線で示す閉状態においては、扉体８０の回動先端側の一部が、化粧カバー６０の上端面よりも上方へ突出するようになっている。また、扉体８０の湾曲凹部８３（図４参照）は、扉体８０が閉状態のときに化粧カバー６０との間で凹所を形成するようになっている。このため、閉状態の扉体８０のうち化粧カバー６０の上端面から上方へ突出した部分又はこの凹所に指先を引っかけることで使用者による扉体８０の開操作を行いやすくなっている。
【００４８】
次に、図７を参照して、プラグＢの構造について説明する。図７（ａ）はプラグを斜め前方から見た斜視図であり、図７（ｂ）はプラグを下方から見た底面図である。
図７（ａ）に示すように、プラグＢには、使用者がプラグＢを把持するための略円筒形状のプラグボディ９０と、プラグボディ９０の前面から前方に突出する栓刃９１とが設けられている。またプラグボディ９０の後方には、栓刃９１が受けた電力を機器（不図示）に供給するためのケーブル９２が設けられている。プラグボディ９０は樹脂材料を射出成形することにより成形されている。
【００４９】
プラグボディ９０には、その前後方向Ｘの中央部の両側面に使用者の指がかかる平面形状の把持部９３と、その下部に下方に向かい突出する突起部９４と、その上部に使用者がプラグＢの方向を視認する位置表示部９５とが設けられている。
【００５０】
栓刃９１は、電源用挿入孔５２ａに挿入される一対の電源用栓刃９１ａと、接地用挿入孔５２ｂに挿入される接地用栓刃９１ｂとにより構成されている。接地用栓刃９１ｂは、電源用栓刃９１ａよりも前方に突出している。また、各電源用栓刃９１ａは、前後方向Ｘの平面視において左右方向Ｙに長手の略長方形状に形成され、接地用栓刃９１ｂは、丸ピン形状に形成されている。
【００５１】
位置表示部９５は前後方向Ｘに沿って延びる長方形状の突起である。そして位置表示部９５がプラグＢの上方に位置する場合には、電源用栓刃９１ａが左右方向Ｙに沿って配列されるようになる。
【００５２】
図７（ｂ）に示すように、突起部９４は、下端部９４ａと、下端部９４ａから前方に向かうに連れて上方に傾斜する前方傾斜部９４ｂと、下端部９４ａから左右方向Ｙの両側外方に向かうに連れて上方に傾斜する一対の側方傾斜部９４ｃとが設けられている。また、下端部９４ａの後端には、上方に沿って延びる保持面９４ｄが設けられている。また、プラグボディ９０の突起部９４より後方には、突起部９４から後方に向かい延びる平面状の当接面９６が設けられている。この当接面９６が設けられる部位の外径は、プラグボディ９０の円筒形状の部位における他の部位の外径よりも小さく形成されている。
【００５３】
前方傾斜部９４ｂは、前方に向かうに連れて左右方向Ｙの幅が大きくなるように形成されている。前方傾斜部９４ｂには、下方から見た平面視において略三角形状に形成されるとともに上方に向かい凹む凹部９４ｅが設けられている。この凹部９４ｅは、肉抜きの役割を果たしている。すなわち、凹部９４ｅを設けることにより、突起部９４及びその周囲にひけや巣が発生することを抑制している。
【００５４】
図６、図８、図９を参照して、コンセントブロックＡにプラグＢを接続する態様及びコンセントブロックＡからプラグＢを抜き去る態様のそれぞれについて説明する。図８では、プラグＢが扉体８０を開状態とするとともに規制部８７に収納される様子を示し、図９では、プラグＢが隔壁を越えて固定部８８に収納されてコンセントブロックＡへの接続が完了する様子を示している。なお、プラグＢをコンセントブロックＡから抜き去る様子の図は省略している。なお、図６、図８、図９では、プラグＢのケーブル９２を省略して示している。
【００５５】
図８（ａ）に示すように、閉状態の扉体８０に対して、扉体８０の化粧カバー６０より突出した部位をプラグボディ９０の前方の端部によって引っ掛けるようにして扉体８０を開状態となるように回転させる。また、扉体８０を開状態とする方法としては、使用者の指によって扉体８０を開方向に動作させてもよい。
【００５６】
図８（ｂ）に示すように、栓刃９１をプラグ挿通孔６１に対向した位置にプラグＢが移動した状態において、栓刃９１をプラグ挿通孔６１に向かい挿入する。以降では、この栓刃９１の挿抜方向を「栓刃挿抜方向Ｖ」とする。この栓刃挿抜方向Ｖにおいて、プラグＢがプラグ挿通孔６１に向かう方向を「挿入方向」とし、プラグＢがプラグ挿通孔６１から離間する方向を「抜去方向」とする。
【００５７】
図８（ｃ）に示すように、プラグＢを挿入方向に向かい挿入すると、扉体８０の前方の端部と突起部９４とが接触する。この状態においてさらにプラグＢを挿入方向に向かい挿入すると、突起部９４の前方傾斜部９４ｂが扉体８０をさらに開方向に回転させるようになる。そして下端部９４ａが扉体８０に当接するようになる。
【００５８】
図８（ｄ）に示すように、下端部９４ａが扉体８０に当接した状態にてプラグＢを挿入方向に向かい挿入すると、突起部９４が規制部８７に収納されるようになる。具体的には、突起部９４は前方傾斜面８５ａによって規制部８７に案内されるようになる。このとき扉体８０は突起部９４が規制部８７に案内されるに連れて閉方向に回転する。
【００５９】
また、この状態において、栓刃９１が差込口５２に対して栓刃挿抜方向Ｖにおいて対応した位置に配置されるようになる。具体的には、栓刃９１のうちの接地用栓刃９１ｂの先端部９１ｂ１が差込口５２（接地用挿入孔５２ｂ）に挿入されるようになる。一方、電源用栓刃９１ａは差込口５２よりもやや抜去方向に位置している。すなわち、上記栓刃９１の差込口５２に対する配置状態において、栓刃挿抜方向ＶにプラグＢを移動させると、栓刃９１が差込口５２に挿入されるようになる。
【００６０】
図６に示すように、図８（ｄ）の状態では、突起部９４の下端部９４ａの左右方向Ｙの幅Ｈ１と、凹所８１の底面８４の平面８４ａの左右方向Ｙの幅Ｈ２とが略同一となる。これにより、突起部９４が左右方向Ｙに移動しようとしても、凹所８１に接触するようになる。
【００６１】
図９（ａ）に示すように、規制部８７に突起部９４が収納された状態からプラグＢを挿入方向に向かい挿入すると、突起部９４の前方傾斜部９４ｂが凹所８１の傾斜部８９に接触するようになる。これにより、突起部９４が傾斜部８９を滑るように頂面８６ｃに向かい移動する。突起部９４と傾斜部８９との接触により、扉体８０は開方向に移動するようになる。また電源用栓刃９１ａは差込口５２（電源用挿入孔５２ａ）に挿入されるようになる。
【００６２】
図９（ｂ）に示すように、突起部９４の下端部９４ａが頂面８６ｃと当接したときに扉体８０がプラグＢをコンセントブロックＡに挿入する際に最も開方向に移動した状態となる。
【００６３】
図９（ｃ）に示すように、突起部９４が頂面８６ｃを超えると、固定部８８に収納されるようになる。このとき、扉体８０は閉方向に向かい回転するとともに、当接面９６と頂面８６ｃとが当接し、仕切壁８６と突起部９４の保持面９４ｄとが当接するようになる。また、頂面８６ｃは当接面９６と当接するようになる。これにより、プラグＢのコンセントブロックＡへの接続が完了する。すなわち、栓刃９１が刃受部４１，４２（図３（ｂ）参照）に挟持された状態となる。以上により、プラグＢを操作するのみにて、扉体８０を開状態とするとともにコンセントブロックＡへの接続及びコンセントブロックＡからプラグＢが抜けることを抑制する抜け止め機構の構成までを行うことができる。すなわち、使用者はプラグＢを把持する片手のみにて、コンセントブロックＡへの接続及び上記抜け止め機構を完了することができる。
【００６４】
また、この状態において、仕切壁８６及び保持面９４ｄは栓刃挿抜方向Ｖに対して直交する平面を有している。
ここで、ケーブル９２（図７参照）を引っ掛ける等により不用意にプラグＢがコンセントブロックＡに対して抜けようとする場合、保持面９４ｄが仕切壁８６と栓刃挿抜方向Ｖに対して当接するため、プラグＢがコンセントブロックＡから抜けることが抑制される。特にこの状態において、仕切壁８６及び保持面９４ｄがそれぞれ栓刃挿抜方向Ｖに対して略垂直なるように形成され、且つ保持面９４ｄが仕切壁８６に面接触することにより、仕切壁８６がプラグＢの抜去方向の力を正面から受けることとなる。
【００６５】
また、プラグボディ９０のプラグ挿通孔６１に挿入される部位の外径は、プラグ挿通孔６１の内径と略同一となるように形成されている。すなわち、プラグボディ９０とプラグ挿通孔６１との間には、僅かな隙間のみが形成されるようになる。ここで、「僅かな隙間」とは、プラグＢがコンセントブロックＡに接続した状態において、使用者の指が入らない程度の大きさのことを言う。
【００６６】
換言すれば、図２に示すように、化粧カバー６０には、差込口５２と対応する箇所にプラグボディ９０（図７参照）の形状に対応した凹部６１ａ（プラグ挿通孔６１の内周面のうち化粧カバー６０の表面から所定深さまでの一部分）が設けられ、この凹部６１ａの底面が開口することでプラグボディ９０の栓刃側端部が挿通されるプラグ挿通孔６１が形成されている。そして、プラグボディ９０をプラグ挿通孔６１に挿入する際は、プラグ挿通孔６１の凹部６１ａにプラグボディ９０の栓刃側端部がまず挿入され、さらにその挿入が進むんではじめて栓刃９１が刃受部４１と接触し始めるようになっている。このため、栓刃９１が刃受部４１と接触し始めるときには、既にプラグボディ９０の栓刃側端部がプラグ挿通孔６１の凹部６１ａに挿通された状態にあり、プラグ挿通孔６１とプラグボディ９０との間の僅かな隙間には指が入る余地はない。
【００６７】
一方、図９（ｃ）に示す状態にあるプラグＢをコンセントブロックＡから抜き去るときには、使用者は扉体８０の抜去方向の端部を開方向に押圧する。そして、突起部９４が仕切壁８６と栓刃挿抜方向Ｖと直交する方向に重なる部位がなくなるようにする。すなわち、保持面９４ｄと仕切壁８６とが当接しなくなる。そして、この状態において、プラグＢを抜去方向に引くことにより、プラグＢをコンセントブロックＡから抜き去ることができるようになる。
【００６８】
また、プラグボディ９０の外径よりも扉体８０が左右方向Ｙに大きく形成されるため（図６参照）、プラグボディ９０の外径と扉体８０とが左右方向Ｙに同一である場合と比較して、使用者が扉体８０を容易に押圧することができる。
【００６９】
プラグＢをコンセントブロックＡから抜き去った後には、ばね７５（図２参照）の作用により、扉体８０は前面６０ａに向かい、すなわち閉状態となるように回転動作する。
本実施形態によれば、以下に示す効果を奏することができる。
【００７０】
（１）本実施形態によれば、扉体８０には、プラグＢの栓刃９１が差込口５２に挿入されたときに、プラグボディ９０と係合して栓刃９１が差込口５２に挿入された状態にプラグＢを抜止めする仕切壁８６（係止部）が設けられている。したがって、特許文献１のような従来の栓刃と刃受との間に抜止機構が設けられる構造と比較して、刃受が必要以上に弾性変形しないため、プラグＢの栓刃９１の差込口５２への挿抜の回数を多く行ったとしても、刃受部４１，４２のばね性の低下を抑制することができる。したがって、コンセントブロックＡを屋外用に用いて、プラグＢをコンセントブロックＡに対して挿抜する回数を増加させたとしても、栓刃９１が差込口５２から挿入された状態を保持することができる。
【００７１】
（２）本実施形態によれば、プラグＢをコンセントブロックＡに差し込むときには、ばね７５（付勢手段）の付勢力に抗して扉体８０を開方向に回動させてプラグＢの挿入経路を確保し、その挿入経路に沿ってプラグＢをコンセントブロックＡに差し込む。このプラグＢが差し込まれたとき、ばね７５の付勢力により閉方向へ付勢されていた扉体８０の仕切壁８６がプラグボディ９０に係合してプラグＢを抜止状態に係止する。このため、プラグＢを差し込んだ後、抜け止めのための回転操作が不要になる。このとき、扉体８０を開操作しないと、扉体８０が邪魔になってプラグＢの挿入経路が確保されないので、プラグＢをコンセントブロックＡに差し込んだときには、必ずプラグＢを抜止状態に係止できる。また、扉体８０を化粧カバー６０に取付けて扉付き化粧カバー３０の構成を採用しているので、例えば露出コンセントブロックのコンセント本体を流用し、部品の共通化を図りつつ、化粧カバーを、扉付き化粧カバー３０に変更するだけで、抜止機能付きのコンセントブロックＡを比較的簡単に製造できる。
【００７２】
（３）プラグＢの栓刃９１を差込口５２に奥まで差し込んだときに、すなわちプラグＢの栓刃側の端面がコンセント本体２０のボス部５１の面に当たる挿入位置まで差し込んだときに、プラグボディ９０の突起部９４が仕切壁８６と係合してプラグＢを抜け止め状態に係止する。このため、プラグＢを奥までしっかり差し込まれた状態に保持できる。例えば係止位置が奥より少し手前であると、差込状態にあるプラグＢに栓刃挿抜方向Ｖの遊びができ、場合によっては栓刃９１と刃受部４１，４２との間で電気的な接続不良が発生する原因ともなりうるが、本実施形態のコンセントブロックＡによれば、栓刃９１と刃受部４１，４２との良好な接続を維持できる。
【００７３】
（４）プラグＢの栓刃９１を差込口５２に差し込むためにプラグボディ９０の一部をプラグ挿通孔６１に挿入したときに、プラグボディ９０の外周面とプラグ挿通孔６１の内周面との間に指が入らない程度の所定の隙間が形成される。すなわち、プラグ挿通孔６１をプラグボディ９０のサイズ・形状に応じた孔サイズ・孔形状に形成し、栓刃９１が刃受部４１に接触する位置までプラグＢがプラグ挿通孔６１に挿入された際に、使用者のプラグＢを握った手などの指がプラグＢとプラグ挿通孔６１との隙間を通じてその隙間の内方に位置する栓刃９１に触れないように、その隙間を指が入りえないサイズに狭くした。さらに、化粧カバー６０を貫通するプラグ挿通孔６１を比較的深い所定深さで設け、指が隙間から数ｍｍ入ったとしても届きえない位置まで栓刃９１が奥方へ離れてから、栓刃９１が刃受部４１に接触する構造とした。よって、プラグボディ９０とプラグ挿通孔６１との隙間に指が入ることを防止でき、栓刃９１に指が触れる事態を回避できる。
【００７４】
（５）扉体８０は、閉じた状態において３つの差込口５２の全てを覆うように形成されている。このため、扉体８０が閉じた状態ではコンセントブロックＡの差込口５２の全てが扉体８０により覆われることになるため、扉体８０による差込口５２の防水効果を期待できる。
【００７５】
（６）コンセント本体２０は、露出コンセントブロック用のコンセント本体をベースとし、扉体８０が回動可能に設けられた扉付き化粧カバー３０を、露出コンセントブロック用の化粧カバーに替えて、コンセント本体２０に取り付けて製造される。よって、露出コンセントブロック用のコンセント本体を流用し、部品の共通化を図り、露出コンセントブロック用の化粧カバーに替えて、扉付き化粧カバー３０をコンセント本体２０に取付けることで、プラグ抜け止め機能付きのコンセントブロックＡを比較的簡単に製造できる。
【００７６】
（７）ところで、特許文献１に示すようなプラグをコンセントブロックに接続した後に所定角度回転させることにより、プラグの栓刃に設けられた透孔にコンセントブロックの刃受に設けられた突起が入り込み、プラグをコンセントブロックから抜け止めする構造では、刃受の弾性変形する量が大きく、刃受が弾性変形を繰り返すと、刃受のばね性が低下することにより、栓刃の透孔に刃受の突起が入らなくなってしまう。その結果、プラグの挿抜を繰り返すうちに抜止機能が低下し、同抜止機能を果たさなくなってしまう場合がある。
【００７７】
その点において、本実施形態では、プラグと刃受との間に抜止機構が設けられていない構造、すなわち、扉体８０の回動により差込口５２の全体を開閉する構造であるため、プラグＢの栓刃９１による刃受部４１，４２の弾性変形の量が抑制されるため、特許文献１のような抜止機能の低下を抑制することができるようになる。
【００７８】
（８）特許文献１に示すようなプラグをコンセントブロックに接続した後に所定角度回転させることにより、プラグの栓刃に設けられた透孔にコンセントブロックの刃受に設けられた突起が入り込み、プラグをコンセントブロックから抜け止めする構造では、プラグを所定角度回転させる作業を忘れてしまう可能性がある。その結果、例えばプラグが抜けることにより予期せず電気機器の動作が停止したり、プラグの栓刃と刃受との接触面積が減少することにより接触抵抗が増大して高熱が発生したりする問題が生じる恐れが未だに残されていた。
【００７９】
その点において、本実施形態では、ばね７５の付勢力により、プラグＢの栓刃９１が差込口５２に挿入されたときに自動的に仕切壁８６がプラグボディ９０の突起部９４と係合してプラグＢを係止するため、上記のプラグが抜けることに起因する問題をより抑制することができる。
【００８０】
（９）また、本実施形態では、化粧カバー６０にプラグ挿通孔６１を設け、このプラグ挿通孔６１内にプラグボディ９０の一部が挿入される構成としている。したがって、プラグＢの栓刃９１を差込口５２に挿入するときには、プラグボディ９０とプラグ挿通孔６１との隙間を小さくすることができる。その結果、その隙間を通じて、使用者の手の指が栓刃９１に触れることを抑制することができる。
【００８１】
（１０）ところで、一般に、差込口を覆う扉体を開閉可能に設けた場合、プラグを挿入するために扉体を開け、プラグを抜いた後に扉体を閉め忘れる場合がある。この場合においては、例えば屋外用コンセントブロックの付近において洗車をしていたときには、洗車に使用している水が差込口に侵入してしまう可能性がある。
【００８２】
その点において、本実施形態では、扉開閉機構７０にばね７５を設けて扉体８０を常にプラグ挿通孔６１に向かい付勢するようにしているため、扉体８０の閉め忘れを回避することができるようになる。
【００８３】
（１１）本実施形態では、扉体８０の基部８０ａに規制部８７が設けられる構成である。この構成によれば、規制部８７にプラグボディ９０の突起部９４が収納されることにより、差込口５２に対するプラグＢの左右方向Ｙの位置が決定されるようになる。したがって、差込口５２に対するプラグＢの左右方向Ｙの位置合わせが容易となる。
【００８４】
ところで、防水コンセントブロックでは、差込口に雨水が侵入するのを抑制する目的として、差込口が下方に向かい開口している構造が知られている。またこのような防水コンセントブロックでは、使用者が差込口を視認することが困難であり、プラグをコンセントブロックに接続する作業が煩雑であった。
【００８５】
その点、本実施形態では、規制部８７によってプラグＢの差込口５２に対する左右方向Ｙの位置が決定するため、その状態においてプラグＢを栓刃挿抜方向Ｖに移動するのみにて、プラグＢをコンセントブロックＡに接続することが可能となる。
【００８６】
（１２）本実施形態では、規制部８７に突起部９４が収納された状態において、接地用栓刃９１ｂの先端部９１ｂ１が接地用挿入孔５２ｂに挿入されている構成である。したがって、規制部８７に突起部９４が収納されることにより、上述のプラグＢの差込口５２に対する左右方向Ｙの位置が決定されることに加えて、栓刃９１の差込口５２に対する位置が決定されるようになる。その結果、コンセントブロックＡにプラグＢをより容易且つ確実に接続することができる。
【００８７】
（１３）本実施形態では、扉体８０に傾斜部８９が設けられる構成である。したがって、プラグＢを規制部８７から挿入方向に移動するのみにて、仕切壁８６（規制部８７）を乗り越えることができる。すなわち、プラグＢが仕切壁８６（規制部８７）を乗り越えるために使用者が別途扉体８０を手で開方向に移動させる必要がない。その結果、プラグＢをコンセントブロックＡに容易に接続することができる。
【００８８】
また、傾斜部８９は仕切壁８６の前方に接続される構成である。したがって、プラグＢの保持面９４ｄと仕切壁８６との当接によって、仕切壁８６が前方に変形したり破損したりすることを抑制している。すなわち、傾斜部８９は仕切壁８６の補強を兼ねている。
【００８９】
（１４）本実施形態では、プラグＢのコンセントブロックＡへの接続が完了した状態において、仕切壁８６が保持面９４ｄと当接する構成である。したがって、プラグＢが不用意にコンセントブロックＡから抜けてしまうことを抑制することができる。
【００９０】
ところで、上述のプラグのコンセントブロックからの抜け止めの機構としては、栓刃及び端子板の刃受部にそれぞれ係合部を設け、プラグがコンセントブロックに接続された状態において、各係合部が互いに係合して抜け止めを行うものが知られている。しかしながら、このような抜け止め機構では、この抜け止め機構が省略された刃受部と比較して、刃受部の弾性変形が大きくなってしまう。したがって、刃受部のばね性が低下しやすい問題がある。
【００９１】
その点、本実施形態では、扉体８０に仕切壁８６が設けられ、プラグボディ９０に保持面９４ｄが設けられる構成であるため、栓刃９１と刃受部４１とによって抜け止め機構を構成していない。したがって、栓刃及び刃受部に抜け止め機構を設ける場合と比較して、プラグＢをコンセントブロックＡに挿抜する回数を増大してもコンセントブロックＡからプラグＢを抜け止めする機能を維持することができる。
【００９２】
（１５）本実施形態では、扉体８０に凹所８１が設けられ、この凹所８１に規制部８７及び仕切壁８６が設けられる構成である。この構成によれば、基部８０ａより閉方向に規制部８７及び仕切壁８６が設けられる扉体と比較して、プラグＢをコンセントブロックＡに挿入する際の扉体８０を開方向に開く回転量を低減することができる。したがって、扉体８０を開くための力を少なくすることができるため、プラグＢをコンセントブロックＡに容易に挿入することができる。
【００９３】
（１６）本実施形態では、規制部８７に対応する接続部８５には前方傾斜面８５ａが設けられる構成である。この構成によれば、突起部９４が規制部８７に収納される際に、前方傾斜面８５ａによって突起部９４が底面８４に案内されるようになる。したがって、突起部９４を規制部８７に容易に収納することができる。
【００９４】
（１７）本実施形態では、接続部８５には側方傾斜面８５ｂが設けられる構成である。この構成によれば、プラグボディ９０の突起部９４が規制部８７の底面８４に対して左右方向に異なった位置に配置したとしても、側方傾斜面８５ｂに接触することにより、突起部９４を底面８４に案内するようになる。したがって、突起部９４を規制部８７に容易に収納することができる。
【００９５】
（１８）本実施形態では、基部８０ａは化粧カバー６０よりも上方に突出する構成である。したがって、扉体８０の突出部をプラグボディ９０または使用者の指によって引っ掛けることにより、扉体８０を閉状態から容易に開方向に移動させることができる。その結果、コンセントブロックＡの使い勝手が良くなる。特に、基部８０ａの突出した部位をプラグボディ９０によって引っ掛ける場合には、プラグＢをコンセントブロックＡに接続する一連の動作がプラグボディ９０によって行われるため、使用者は片手にて上記動作を行うことができる。
【００９６】
（１９）本実施形態では、突起部９４の幅Ｈ１と平面８４ａの幅Ｈ２とが略同一に形成される構成である。したがって、突起部９４の左右方向への移動が規制されるようになる。その結果、プラグＢをコンセントブロックＡへの挿入を容易に行うことができる。
【００９７】
（２０）本実施形態では、扉体８０が後方から前方に向かい回転する方向を開方向とするとともに、規制部８７が基部８０ａの表面側に設けられる構成である。したがって、扉体８０を開状態としたときに、使用者は規制部８７の位置を視認することができる。したがって、突起部９４を規制部８７に収納する作業を容易に行うことができるようになる。
【００９８】
（２１）本実施形態では、プラグＢがコンセントブロックＡに接続された状態において、仕切壁８６及び保持面９４ｄのそれぞれが栓刃挿抜方向Ｖに対して垂直に形成され、且つ仕切壁８６と保持面９４ｄとが面接触する構成である。したがって、仕切壁８６がプラグＢの抜去方向の力を正面にて受けるようになるため、プラグＢのコンセントブロックＡに対する抜け止め機能を向上させることができる。
【００９９】
（２２）本実施形態では、プラグボディ９０には平面形状の当接面９６が形成される構成である。したがって、当接面９６が省略され、プラグボディ９０の当接面と対応する部位が円筒形状である構成と比較して、仕切壁８６と保持面９４ｄとの係合量を増大することができる。
【０１００】
（２３）本実施形態では、扉体８０を閉状態にするためにばね７５が設けられる構成である。この構成によれば、扉体８０を開状態から閉状態に自動的に回転することができる。したがって、扉体８０の閉め忘れを防止することができる。
【０１０１】
（２４）本実施形態では、化粧カバー６０の前面６０ａに前後方向Ｘに所定深さのプラグ挿通孔６１が設けられ、プラグ挿通孔６１を内周面とする円筒状凹部の底面（奥面）に位置するボス部５１に差込口５２が設けられる構成である。したがって、プラグＢをコンセントブロックＡに挿入する際に、栓刃９１と使用者の指とが接触した状態にて栓刃９１と刃受部４１とを接続することを抑制することができる。
【０１０２】
（２５）本実施形態では、プラグ挿通孔６１の内径とプラグボディ９０のプラグ挿通孔６１に挿入される部位の外径とが略同一に形成されるため、すなわち、プラグ挿通孔６１とプラグボディ９０との間に形成される隙間が僅かとなる構成である。したがって、プラグ挿通孔６１とプラグボディ９０との間に使用者の指が入ってしまうことを抑制することができる。その結果、上記の栓刃９１と使用者の指とが接触した状態にて栓刃９１と刃受部４１，４２とを接続することを抑制する効果をより一層向上することができる。
【０１０３】
また、プラグＢをコンセントブロックＡに接続した状態において、ケーブル９２を引っ掛ける等によってプラグＢに力が加わり栓刃挿抜方向Ｖに対して傾こうとしても、プラグボディ９０がプラグ挿通孔６１に接触することにより、プラグＢの栓刃挿抜方向Ｖに対する傾きが抑制されるようになる。その結果、栓刃９１が折れ曲がることや差込口５２が破損するといった不具合を抑制することができる。
【０１０４】
（２６）本実施形態では、扉体８０は化粧カバー６０の前面６０ａに対して、その全周に亘り当接する構成である。したがって、扉体８０が前面６０ａと当接しない構成または扉体８０が前面６０ａと一部のみが当接する構成と比較して、扉体８０と化粧カバー６０との間からコンセントブロックＡの内部に水が侵入することを抑制することができる。
【０１０５】
また、特にばね７５により閉状態においても、扉体８０が前面６０ａに対して付勢された状態であるため、扉体８０と前面６０ａとの間に形成される隙間を低減することができる。したがって、扉体８０と化粧カバー６０との間からコンセントブロックＡの内部への水の侵入を抑制する効果をより一層向上することができる。
【０１０６】
（２７）本実施形態では、基部８０ａの前方の端部に湾曲凹部８３が設けられる構成である。したがって、使用者が指で扉体８０を開く場合には、湾曲凹部８３に指を引っ掛けて扉体８０を開けることができる。その結果、使用者の指にて扉体８０を容易に開くことができる。
【０１０７】
（２８）本実施形態では、プラグボディ９０に位置表示部９５が設けられる構成である。したがって、使用者が位置表示部９５を視認することによって栓刃９１の配列状態と差込口５２とを合致させることができる。したがって、コンセントブロックＡにプラグＢを容易に挿入することができる。
【０１０８】
（第２の実施形態）
本発明のコンセントブロックを具体化した第２の実施形態を、図１０〜図１２を用いて説明する。なお、本実施形態のコンセントブロックＡの差込口５５は、上下方向に沿って延びる縦長の矩形状に開口する一対の電源用挿入孔５５ａと、一対の電源用挿入孔５５ａの下方に隣合う位置に形成された接地用挿入孔５５ｂから構成されている。その他、コンセント本体２０、化粧カバー６０やそのプラグ挿通孔６１などは、前記第１の実施形態と同様の構成である。本実施形態のコンセントブロックＡでは、前記第１の実施形態と扉体の構成が一部異なるとともに、防水構造が設けられている点に特徴がある。
【０１０９】
図１０に示すように、扉体１００の扉本体１１０には、その前後方向の後方において、回転機構のシャフト７１（図１１参照）を挿入するための略円筒形状のシャフト保持部１１１と、その前後方向Ｘの前方において、使用者の手によって扉体１００を回動させるための把持部１１２とが設けられている。化粧カバー６０の前面６０ａにはプラグ挿通孔６１の下側の位置に、一対のシャフト保持部６５が左右方向Ｙに所定の間隔をおいて突出形成されている。扉体１００は、シャフト保持部１１１及び一対のシャフト保持部６５に共通に保持されたシャフト７１を中心に回動可能な状態で化粧カバー６０の前面６０ａに取付けられている。なお、シャフト７１の周りには、前記第１実施形態におけるばね７５と同様の機能をもつばね（図示せず）が扉回転機構の一部として装着されており、扉体１００はばねの付勢力により閉方向へ付勢されている。
【０１１０】
図１０に示すように、扉体１００において前面６０ａと相対するその内面上の略中央部には、プラグＢ（図１１参照）と係合可能な保持部１２０が突設されている。この保持部１２０は、左右方向Ｙに所定間隔を持って配列された３個の爪部１２１と、これら爪部１２１を連結する連結部１２２とにより構成されている。
【０１１１】
爪部１２１には、その前後方向Ｘの前側に、後方に向かうに連れて上方に向かい傾斜する傾斜部１２１ａと、その前後方向Ｘの後側に、傾斜部１２１ａの頂部から下方に向かう過程で左右方向Ｙの平面視で略Ｌ字形状の面をなす段形状に形成された段部１２１ｂとが設けられている。また、連結部１２２は、左右方向Ｙに延びることにより爪部１２１の前後方向Ｘの後方の端部を互いに接続する態様にて設けられている。
【０１１２】
この第２の実施形態では、図１０に示すように、扉本体１１０の周縁位置にゴム等の圧縮可能な弾性部材１２５を取り付ける構成としている。この弾性部材１２５は、図１０に示すように、扉体１００が閉状態となるときには、扉本体１１０と化粧カバー６０におけるプラグ挿通孔６１の周縁部分との間に圧縮された状態にて挟まれる。これにより、扉本体１１０と弾性部材１２５との間、及び弾性部材１２５と化粧カバー６０におけるプラグ挿通孔６１の周縁部分における壁面との間の密着性を向上させることができる。従って、扉体１００が閉状態において、コンセントブロックＡの差込口５５への水の浸入を防止する防水性能の向上を図ることができる。なお、本実施形態では、弾性部材１２５が防水付与部に相当する。
【０１１３】
図１１に示すように、扉体１００によるプラグＢの係止機能は基本的に前記第１の実施形態と同様であるが、本実施形態のプラグＢには突起部９４が設けられておらず、採用されるプラグＢのボディ形状に合わせて、保持部１２０はプラグボディ９０の係合可能な所定部位と係合できるようにその位置及び形状が設定されている。
【０１１４】
図１１に示すように、プラグＢの栓刃９１が差込口５５へ挿入されたときには、プラグボディ９０の背面９７に保持部１２０の段部１２１ｂが当接した状態となる。これにより、プラグＢが挿入方向の手前側に移動することが規制されている。より具体的には、プラグボディ９０の背面９７は段部１２１ｂの図１１における上下方向と平行な壁面（規制面）に当接することでプラグＢの抜去方向への移動が規制されるとともに、プラグボディ９０の背面９７より栓刃側の外周面の下部が段部１２１ｂにおける図１１の左右方向と平行な壁面（支持面）に当接することで段部１２１ｂによるプラグＢとの係止量が規定されている。
【０１１５】
例えば段部１２１ｂをそ規制面が図１１における上下方向により長く延びた形状とした場合、段部１２１ｂとプラグボディ９０とが深く係合する。この場合、プラグＢをコンセントブロックＡから抜くときに、プラグボディ９０と保持部１２０との係合が外れにくくなる。これに対して、本実施形態の保持部１２０は、プラグボディとの係合箇所が段形状に形成された段部１２１ｂとしているので、プラグＢの抜け止め効果と、プラグが外し易い効果との両方を得ることができる。特に、扉体１００がばねにより閉方向に付勢された構成なので、プラグ抜き取り時にプラグボディ９０と保持部１２０との係合を外すためには、使用者が扉体１００をばねの付勢力に抗して一旦少量開き側へ移動させる必要がある。しかし、この実施形態では、段部１２１ｂとプラグボディとの係合は比較的浅いので、ばねの付勢力に抗して扉体１００を一旦開き方向へ移動させる移動量が少なく済み、比較的軽い操作でプラグＢを抜き取ることができる。
【０１１６】
また、コンセントブロックＡの不使用時は、図１２に示すように、扉体１００の弾性部材１２５が化粧カバー６０の前面６０ａに当接した状態に保持される。このとき、扉体１００はばねの付勢力により前面６０ａに押し当てるように保持されており、その付勢力により扉本体１１０と前面６０ａとの間で弾性部材１２５は挟まれて圧縮変形するので、扉体１００と化粧カバーとの間はほぼ水密状態に保持される。このため、第２実施形態のコンセントブロックＡにおいては、差込口５５に水が入ることを防止する防水効果を一層高めることができる。
【０１１７】
また、コンセントブロックＡの前面には、プラグＢの栓刃９１の挿入方向において奥側に凹むとともに、平面視において円形となるプラグ挿通孔６１の内周面とボス部５１とにより囲まれた有底円筒状の凹部が設けられている。この凹部には、プラグボディ９０の栓刃側の一部が挿入されることになる。
【０１１８】
ところで、扉体１００の扉本体１１０に保持部１２０を設けた場合、保持部１２０の収納部をコンセントブロックＡ側に設ける必要がある。すなわち、コンセントブロックＡ側に保持部１２０の収納部を設けない構成とすると、扉体１００が前面６０ａに当接する前に、保持部１２０とボス部５１とが当接してしまうことにより、扉体１００と前面６０ａとの間に空間が形成されてしまう。その結果、コンセントブロックＡの防水性能が低下してしまう場合がある。一方、保持部１２０の収納部をコンセントブロックＡ側に設ける構成においても、その保持部１２０を収納するためだけの部位を専用に設ける構成としてしまうと、コンセントブロックＡの形状が複雑となるとともにコンセントブロックＡが大型化してしまう場合がある。
【０１１９】
その点において、本実施形態のコンセントブロックＡは、扉体を閉じたときの保持部１２０をプラグ挿通孔６１内に収納する構成としている。したがって、扉体１００を閉じた状態において、保持部１２０がボス部５１に当たる干渉を回避しつつ、扉体１００と前面６０ａとの当接状態を良好に維持することができる。
【０１２０】
（その他の実施形態）
・防水構造は前記第２の実施形態の構成に限定されない。例えば、防水付与部は弾性部材１２５に限定されない。図１３に示す扉体１００のように、扉本体１１０のその内面周縁にその内面に対して鉛直方向に向かい突出する周壁部１２７を設けた構成としてもよい。この周壁部１２７は、扉本体１１０の図１３における左右方向Ｙの両側部の２辺及び前後方向Ｘの前方の１辺において各辺の全長に亘り設けられている。この構成によっても、扉体１００の閉状態において、ばねの付勢力により閉方向に付勢された周壁部１２７が前面６０ａに押し付けられることにより防水機能を発揮できる。そのため、コンセントブロック不使用時には、閉状態にある扉体１００と化粧カバー６０とが少なくとも３辺ではほぼ水密状態に密接するので、差込口５５に水が浸入することを防止できる。
【０１２１】
・また、第２の実施形態において、弾性部材１２５は、化粧カバー６０の前面６０ａに取り付けることもできる。さらに、扉体と化粧カバーの両方に弾性部材を設けてもよい。これらの構成においても、コンセントブロックＡの防水性能の向上を図る効果を奏することができる。
【０１２２】
・上記各実施形態では、プラグ挿通孔６１を、プラグボディとの間に指が入りえない隙間ができるようにその孔サイズ・孔形状を設定したが、プラグボディ９０が入る任意の孔サイズ・孔形状にしてもよい。また、プラグ挿通孔６１の深さについても、任意の深さを設定してもよい。さらには、プラグ挿通孔６１を廃止した構成も採用できる。例えば化粧カバーの扉体が閉状態においてコンセント本体２０の差込口側の前面５０ａに当接する構成も採用できる。この構成においても、上記各実施形態の各効果を得ることができる。
【０１２３】
・扉体は必ずしも差込口を覆う扉機能を有していなくてもよい。例えば、扉体は一部の差込口を覆うだけの構成でもよい。例えば電源用挿入孔５２ａを覆うだけの構成でも構わない。この構成であっても、プラグＢの係止機能は得られるので、プラグ差込時の面倒な操作なくプラグを差込状態で係止できる。さらには、係止部が設けられた扉体が差込口を覆う機能を有しない構成も採用できる。すなわち、差込口の扉機能を備えず、プラグを差込状態にロックするプラグの係止機能を備える構成である。この構成でも、プラグ差込時に、差込操作の後に抜止機能を発揮させるための面倒な回動操作をしなくても、プラグを抜止状態にロックすることはできる。もちろん、このような構成において、係止部を有しない第２の扉体を設け、この第２の扉体により差込口を覆う構成としてもよい。
【０１２４】
・露出コンセントブロック用のコンセント本体を流用する構成に限定されない。コンセントブロックＡ専用のコンセント本体を製造し、このコンセント本体に扉付き化粧カバー３０を取付けてコンセントブロックＡを製造しても構わない。
【０１２５】
・扉体の回動中心は、化粧カバーの前面におけるプラグ挿通孔の直ぐ下側の位置に限定されない。例えば、扉体の回動中心を化粧カバーの前面下端部に配置し、化粧カバーの前面を扉体で覆う構成も採用できる。この構成であれば、コンセントブロックＡの前面６０ａが扉体で覆われるので、コンセントブロック前面における凹凸感を抑えて意匠的な効果を期待できる。化粧カバーにおいて扉体の下側部分を前方へ突設し、扉体の閉状態においてコンセントブロックの前面が扉体の部分と化粧カバーの前面が露出した部分とで、ほぼ面一になり前面の凹凸感が抑えられた構成も採用できる。
【０１２６】
・扉体の開閉方向は適宜選択してよい。前記各実施形態では、扉体は上開きの開閉構造であったが、下開きや横開きの開閉構造とすることもできる。
・上記各実施形態では、コンセントブロックＡを充電スタンドに適用したが、本発明のコンセントブロックはこれに限定されることはない。例えばその他の屋外用コンセントブロックに適用したり、室内用コンセントブロックにも適用することができる。
【符号の説明】
【０１２７】
１１…充電スタンド、２０…コンセント本体、２１…器体としてのハウジング、２２…取付ねじ、２３…接続構造体の一例であるコンセント構造体、２４…電線挿入口、３０…扉付き化粧カバー、４０…本体ボディ、４１，４２…刃受部、５０…本体カバー、５０ａ…差込口側の面としての前面、５１…ボス部、５２，５５…差込口、５２ａ，５５ａ…電源用挿入孔、５２ｂ，５５ｂ…接地用挿入孔、６０…化粧カバー、６０ａ…前面、６１…プラグ挿通孔、６１ａ…凹部、６２，６５…シャフト保持部、７０…扉開閉機構、７１…シャフト、７５…付勢手段の一例であるばね、８０…扉体、８６…係止部を構成する仕切壁、８７…規制部、８８…固定部、９０…プラグボディ、９１…栓刃、９１ａ…電源用栓刃、９１ｂ…接地用栓刃、９４…突起部、９７…背面、１００…扉体、１１１…シャフト保持部、１２０…係止部の一例である保持部、１２５…防水付与部としての弾性部材、Ａ…コンセントブロック、Ｂ…プラグ。
【図１】
0005583395.tif 000002
【図２】
0005583395.tif 000003
【図３】
0005583395.tif 000004
【図４】
0005583395.tif 000005
【図５】
0005583395.tif 000006
【図６】
0005583395.tif 000007
【図７】
0005583395.tif 000008
【図８】
0005583395.tif 000009
【図９】
0005583395.tif 000010
【図１０】
0005583395.tif 000011
【図１１】
0005583395.tif 000012
【図１２】
0005583395.tif 000013
【図１３】
0005583395.tif 000014